(57)【要約】【課題】移動する出口ジェットの異なるパターンを与えることが可能なシャワーヘッドを提供する。【解決手段】シャワーヘッドがジェット出口エレメントを含み、これはシャワーヘッドに旋回可能に載置される。それは、出口開口から離れたガイドジャーナルが２つの閉鎖され接触する円に沿って移動されるようなメカニズムにより移動される。２つの円が接触する地点において、ガイドジャーナルは移送装置の助けをかりて一方の円から他方へ移動され得る。【選択図】図１
2004507277.tif 000002
【特許請求の範囲】
【請求項１】
１．１　ジェットディスク（３）により終端されるケーシング（１）と、
１．２　少なくとも１つのジェット出口エレメント（６）と、
１．２．１　これがシャワーヘッドに移動可能に保持されることと、更に
１．３　ジェット出口エレメント（６）を移動させるためのメカニズムと、
１．４　ジェット出口エレメント（６）から出る水ジェットの方向がケーシング（１）に関して連続的に変更されること、
を含むサニタリーシャワーのためのシャワーヘッド。
【請求項２】
方向がコンスタントに繰り返すパターンで変更されることを特徴とする請求項１に記載のシャワーヘッド。
【請求項３】
ジェット出口エレメント（６）のガイド部分（９）が、好ましく閉鎖されたパスに沿って移動可能であることを特徴とする請求項１又は２に記載のシャワーヘッド。
【請求項４】
ガイドウェイが、少なくとも１つの交差を含むことを特徴とする前述の請求項のいずれか１項に記載のシャワーヘッド。
【請求項５】
ガイドウェイが、少なくとも２つの閉鎖パスを有してその間に移送地点を備えたことを特徴とする前述の請求項のいずれか１項に記載のシャワーヘッド。
【請求項６】
パスが、移送地点において接線方向で接触することを特徴とする請求項５に記載のシャワーヘッド。
【請求項７】
移送装置（２１）が、移送地点に設けられていることを特徴とする請求項５又は６に記載のシャワーヘッド。
【請求項８】
メカニズムが、タービン（１３）により駆動され得ることを特徴とする前述の請求項のいずれか１項に記載のシャワーヘッド。
【請求項９】
メカニズムが、少なくとも１つのメカニズムエレメントを有し、これでジェット出口エレメント（６）が少なくとも一時的に直接接続されることを特徴とする前述の請求項のいずれか１項に記載のシャワーヘッド。
【請求項１０】
メカニズムが、ジェット出口エレメント（６）の動作をもたらし及び／又は制御することを特徴とする前述の請求項のいずれか１項に記載のシャワーヘッド。
【請求項１１】
第２のメカニズムエレメントを備え、これでジェット出口エレメント（６）が一時的に、選択的には更なるメカニズムエレメントにも、直接接続されることを特徴とする請求項９又は１０に記載のシャワーヘッド。
【請求項１２】
ジェット出口エレメント（６）を第１から第２のメカニズムエレメントへ移送するための移送装置（２１）を備えたことを特徴とする請求項１１に記載のシャワーヘッド。
【請求項１３】
移送装置（２１）が、実際の動作により制御されることを特徴とする請求項７から１２のいずれか１項に記載のシャワーヘッド。
【請求項１４】
移送装置（２１）が、同期又は非同期ギア手段により制御されることを特徴とする請求項７から１３のいずれか１項に記載のシャワーヘッド。
【請求項１５】
ジェット出口エレメント（６）が、円錐パスで移動されることを特徴とする前述の請求項のいずれか１項に記載のシャワーヘッド。
【請求項１６】
ジェット出口エレメント（６）が、それ自身と平行に移動されることを特徴とする請求項１から１４のいずれか１項に記載のシャワーヘッド。
【請求項１７】
ジェット出口エレメント（６）が、旋回及びスライド動作の組合せを奏することを特徴とする前述の請求項のいずれか１項に記載のシャワーヘッド。
【発明の詳細な説明】
【０００１】
【発明の属する技術分野】
本発明は、サニタリー（衛生）シャワーのためのシャワーヘッドに関する。
【０００２】
【関連技術】
シャワーの使用者に特定の効果を与えるために、シャワーヘッドを通過するジェットを制御する可能性は多くある。これらは視覚的に認識し得るものや、マッサージ効果として感知し得るものである。
【０００３】
既知のシャワーヘッド（ＷＯ００／０３８１０）において、ジェット出口エレメントは、ある程度自由に移動可能な方式でシャワーヘッド内に配置される。それはタービンを備え、これは水流によって駆動され得る。タービンと一緒の自由な移動性の結果、ジェット出口エレメントは、ランダム非制御動作を奏するように、ランダム配向を付与され得る。
【０００４】
【発明が解決しようとする課題】
本発明の課題は、移動する出口ジェットの異なるパターンを与えることが可能なシャワーヘッドを提供することである。
【０００５】
【課題を解決するための手段】
この課題を解決するため、本発明は、請求項１の構成を有するシャワーヘッドを提供する。本発明の更なる構成は、従属する請求項の主題を形成し、その表現は、要約のそれと同様に、本明細書の内容の一部をなすものである。
【０００６】
【発明の実施の形態】
シャワーヘッドに保持されるジェット出口エレメントの動作を通じてメカニズムの助けをかりて、ジェット出口エレメントから出るジェットの方向を修正することが可能である。もしこの修正が急に起こるなら、使用者にとって興味深いジェットパターンが得られ、これはまたシャワーを浴びる人の肌のマッサージ動作にもつながる。
【０００７】
本発明の更なる発展によれば、配置は、通過するジェットの方向が一定に繰り返すパターンで変化するようなものである。しかし、更に考えられ、本発明により提供されるのは、ランダムパターンが生成されることである。
【０００８】
通過するジェットの方向を変えるために、本発明の更なる発展によれば、ジェット出口エレメントのガイド部分はパスに沿って移動可能であり、これは閉鎖パスを好ましく描いており、これは好ましく閉鎖されている。ガイド部分は、ジェット出口エレメントの特定部分となりうるが、これは例えばジェットディスクから離れたジェット出口エレメントの端部上のジャーナルとして置かれる。
【０００９】
ジェット出口エレメントの動作を生じるガイドウェイは、本発明の更なる発展においては、少なくとも１つの交差を有する。その結果、衝撃面に８の字の形状を描くジェットを生成可能であり、そこではパスの事実上の交差がある。
【００１０】
本発明のもう１つの更なる発展によれば、ガイドウェイは、間に移送地点を有する少なくとも２つの閉鎖パスを有している。この例は、２つの円形パスを与えるもので、これは少なくとも１つの地点で交差又は接触している。この地点において、ガイド部分を一方のパスから他方へ移送するために、装置を提供することが可能である。
【００１１】
移送地点においてパスが接線接触することが特に与えられ得る。移送地点において選択的に制御される移送装置が設けられうる。
【００１２】
ジェット出口エレメントの動作をもたらすメカニズムが、例えばタービンによって駆動され得るが、これはシャワーヘッドを流れる水により駆動される。
【００１３】
メカニズムが少なくとも１つのメカニズムエレメントを有し、これで少なくとも一時的にジェット出口エレメントが直接接続されることが特に与えられ得る。例えば、先述のガイド部分は、メカニズムエレメントのくぼみと係合可能であり、後者により移動される。係合は、ガイド部分がなお自由度を有するようにし得るが、これはシャワーヘッドのもう１つの部分により決定される。
【００１４】
このように、メカニズムは、例えばメカニズムエレメントがジェット出口エレメント、すなわち例えば回転ドライブの動作をもたらすように、又はメカニズムエレメントがジェット出口エレメントの動作を直接制御するように構成され得る。
【００１５】
本発明の更なる発展によれば、シャワーヘッドは第２の又は第３のメカニズムエレメントを有し、これでジェット出口エレメントは一時的に、すなわち例えばそれが第１メカニズムエレメントに接続されない時間の間、直接接続される。
【００１６】
本発明によれば、メカニズムは、ジェット出口エレメント又はそのガイド部分を一方から他方のメカニズムエレメントに移送するために、移送装置を有し得る。
【００１７】
移送装置は、例えばそれがジェット出口エレメント動作を直接制御するように構成され得る。
【００１８】
しかしながら、ジェット出口エレメント動作と同期し得るギア手段や、非同期ギア手段により、移送装置が制御されることも可能であり、本発明により提供される。この場合、ランダム動作をもたらすことが可能である。
【００１９】
本発明の更なる発展によれば、ジェット出口エレメントは、その軸が円錐上に位置するように移動される。これは例えばジェット出口エレメントの一端がボール及びソケットジョイント又はボールソケットの方式で保持され又はガイドされることをもたらし得る。
【００２０】
ジェット出口エレメントがそれ自身平行に移動し、すなわちスライドされることも可能であり、本発明により与えられ得る。
【００２１】
特に、両方の動作タイプの組合せが可能である。
【００２２】
本発明の更なる構成、詳細及び利点は、添付の図面と共に、好ましい実施例の以下の説明から理解され得る。
【００２３】
【実施例】
図１は、断面及び大幅に線図的な形状でシャワーヘッドを示しており、これはケーシング１と、その中に入る水入口２を備えている。反対側の端面には、開口４を有するジャケットディスク３が形成されている。ケーシング１内に、開口４がボールソケットのようなものとして構成されていて、その中にはジェット出口エレメント６の前方球状端５が載置されている。その前方領域には、ジェット出口エレメント６がスリーブとして構成されていて、これは軸ボア７によりトラバースされている。その前方スリーブ状領域に２つの平行なウェブ８が接続されていて、これは更に軸ボアの軸延長部に配置されるジャーナル状シリンダガイド部分９に通っている。ジェット出口エレメントの形状は、図３及び４からも理解され得る。
【００２４】
図１のケーシングの上部領域において、挿入部１０が挿入され、これはほぼプレートの形状でシリンダ状エッジ１１を有していて、これは平坦なシリンダ状表面として構成され、ケーシング内の肩に置かれている。挿入部１０は、ケーシングをほぼ１：４の比で長手方向に分割している。挿入部１０の図１上側には、チャンバー１２が形成されていて、これはタービン１３を備えたメカニズムを収容している。タービン１３は、それが入口２を通ってケーシング１に入る水ジェットにより回転されるように置かれている。それは、シャフト１９とピニオンにより第１歯車１４に係合していて、これは第２歯車１５と噛み合っている。歯車１４，１５は両方とも挿入部１０のプレート内に載置されている。プレート１０の下方では、ディスク１７，１８が接続され、各場合１つのシャフト１６を介して対応する歯車を回転させるようになっている。２つのディスク１７，１８は、その外周面が中央の地点で接触するようなサイズを有している。表された例において、２つのギア１４，１５は同じサイズであり、これらは反転方式で同じ回転速度で駆動される。結果として２つのディスク１７，１８は、同じ周速度で回転する。２つのディスク１７，１８の各々は、その周囲から出ているノッチ２０、２１を有している。このノッチがジェット出口エレメント６のガイド部分９の上部領域を持ち上げて、横方向の一定の隙間を備えたガイダンスを与え得るように寸法形成されている。もしタービン１３が回転するなら、ジェット出口エレメントのガイド部分９は、円形のガイドウェイに沿って移動する。これは例えば図２の部分から理解され得る。もしガイド部分９がノッチ２０の右にあると仮定すると、タービンが回転している間、ガイド部分を備えたノッチ２０は、ディスク１７により半時計回りに運搬される。ケーシングの断面中央において、２つのディスク１７，１８の外周が接するところには、ジェット出口エレメントのガイド部分９を１つのディスク１７のノッチ２０から他のディスク１８のノッチ２１内に移送可能となる地点が設けられる。これは、ノッチがこの地点において接触することを意味している。これは実施例に示された場合であり、図２から理解され得る。ガイド部分９を移送させるため、移送装置２１が設けられる。これは対称に構成されたスイッチ２３を含んでいて、固定シャフト２２の周りを旋回可能であり、ノーズ部分２４を有していて、これはその一方の側をシャフト１６に係合するほど充分に長い。ノーズ部分２４は、ガイドベベル２５により左右対称に画成されていて、これはガイドベベル２５に直角で制御部分へ通じている。もしガイド部分９が図２の表現に関して１８０°回転されたなら、それは傾斜しているガイドウェイ２５上に到達し、後者によりノッチ２０から第２のディスク１８のノッチ２１に移動される。それが第２のディスク１８により更に移動されてすぐに、ガイド部分９は、横方向にそれる可能性無くガイド部分２６に達し、後者をシャフト２２の周りに旋回する。これにより、ノーズ２４が他のシャフト１６に係合するまでスイッチが傾斜する。全円だけ更に回転する場合、ガイド部分は第１のディスクのノッチ２０へ移動され、再び移送装置２１を切り替え得る。こう���て、ガイド部分９は交差地点を有する８の字に沿って移動する。
【００２５】
図３は、２つの歯車と、挿入部１０の下方にジェット出口エレメント６を備えた挿入部１０の斜視図である。シャフト１６を載置するために使用されるプレートは、歯車１４，１５のそばに横方向に設けられ、これは大きな開口２７を備えていて、そこを通じてジェット出口エレメント６が位置する領域にチャンバー１２から水が流出し得る。そこから水が２つのウェブ８の間と軸ボア７に流れることが可能であり、そこからシャワーヘッドの外へ出る。水はジェットディスク３からジェット出口エレメント６によってちょうど仮定される方向に流出する。もしシャワーヘッドが表面に保持されるなら、水ジェットはその上に８の字を描く。
【００２６】
図４は、図３の配置を下方から示している。もう一度２つのディスク１７，１８を見ることが可能であり、これらは接続されて共通のシャフト上の２つの歯車１４，１５のうちの１つをそれぞれにおいて回転させる。
【００２７】
図５は、図３に対応する表現であり、２つのギア１４，１５が取り除かれ、２つのシャフト１６をより容易に見ることが可能なようにしたものである。２つのディスク１７、１８の間の移送装置２１の位置も明確に認識可能である。
【００２８】
図１から５の実施例は、シャワーヘッドの技術的手段のための可能性を図示したものであり、接点において交差地点を有して接線方向で接触する等しく大きな２つの円の表面上で、このヘッドから出た水ジェットが８の字を描く。表面上でその衝撃の間水ジェットにより描かれたパスのこの形状は、ジェット出口エレメント６のガイドエレメント９のガイドウェイによりもたらされる。このガイドウェイは、水ジェットにより描かれる形状と幾何的に類似している。
【００２９】
しかしながら、本発明はそれが表面に衝突する時水ジェットの他のパスも可能にする。その様な１つの可能性が図６に線図で図示されている。２つのディスク１７，１８の代わりに、ここでは３つのディスク１７，１８、２８が使用され、これらは反転方式で各々駆動され、これらの軸は１直線上にある。対応するジェット出口エレメントのガイド部分９は、図２の実施例にあるけれども、端部に位置する一方のディスク１７又は２８から閉鎖円に沿って中央のディスク１８へ到達するまで最初に移動され、そこでそれは一方の半円をわたって各場合の他方の外側のディスクへ移送され、その戻りの間は他方の半円をわたる。
【００３０】
図７において、３つのディスク１７，１８、２８は、その軸が単一のライン上になく、かわりに３角形の角度を形成するように配置される。ここで、ガイド部分は、２つの外側ディスク１７、１８から各場合に全円にわたって移動され、これに対しそれはその旋回の間中央のディスク１８によりディスク２８からディスク１７へほぼ３００°の円弧を移動される。ディスク１７のディスク１８への戻り動作の間、それはほぼ６０°の円弧にわたって移動される。
【００３１】
図１から５により詳細に示される実施例において、ジェット出口エレメント６の前方部分は、ボールソケットに保持される。ジョイントの周りに旋回されるだけでなく、更に又はそれのみでガイドウェイと一致してシフトされるジェット出口エレメントも考えられる。しかし旋回動作が好ましい。
【００３２】
図６及び７に示された又は関連する実施例において、３つのディスクのシャフト１６が互いに平行であるだけでなく、ジェット出口エレメント６の旋回動作により良く対応させるために幾分交差されていることも可能である。
【図面の簡単な説明】
【図１】本発明によるシャワーヘッドを線図で表現した断面図。
【図２】図１の配置の断面図。
【図３】図３の配置のメカニズムの一部を示す斜視図。
【図４】下方からの図３の配置。
【図５】歯車を取り除いた図３の配置。
【図６】３つのメカニズムエレメントを備えた配置のための一例を示す斜視図。
【図７】３つのメカニズムエレメントを備えた更なる配置。
【図１】
2004507277.tif 000003
【図２】
2004507277.tif 000004
【図３】
2004507277.tif 000005
【図４】
2004507277.tif 000006
【図５】
2004507277.tif 000007
【図６】
2004507277.tif 000008
【図７】
2004507277.tif 000009
【国際公開パンフレット】
2004507277.tif 000010
2004507277.tif 000011
2004507277.tif 000012
2004507277.tif 000013
2004507277.tif 000014
2004507277.tif 000015
2004507277.tif 000016
2004507277.tif 000017
2004507277.tif 000018
2004507277.tif 000019
2004507277.tif 000020
2004507277.tif 000021
2004507277.tif 000022
2004507277.tif 000023
2004507277.tif 000024
2004507277.tif 000025
2004507277.tif 000026
【国際調査報告】
2004507277.tif 000027
2004507277.tif 000028
2004507277.tif 000029
2004507277.tif 000030
2004507277.tif 000031
2004507277.tif 000032